(57)【要約】【課題】  ＡＣプラグ収納時のブレードの収納位置とバッテリーパックを装着する電池室を共用することにより、小型のバッテリー充電器を提供する。【解決手段】  交流電源に接続する為のＡＣプラグを有し、ＡＣプラグを回転することによってＡＣプラグをバッテリー充電器から突出させた位置に移動され、またはＡＣプラグが前記バッテリー充電器に収納された位置に移動され、ＡＣプラグが収納された位置に移動したときにＡＣプラグのブレードがバッテリー充電器の電池室に収納されるようにした。【選択図】  図１
2008245422.tif 000002
【特許請求の範囲】
【請求項１】
バッテリーが収納されるバッテリー収納部と、使用状態と収納状態に変位するＡＣプラグのブレードとを有する充電器であって、
前記ＡＣプラグのブレードが前記収納状態にあるときに、前記ＡＣプラグのブレードが前記バッテリー収納部内に位置することを特徴とする充電器。
【請求項２】
前記ＡＣプラグのブレードは回転することで使用状態と収納状態に変位することを特徴とする請求項１に記載の充電器。
【請求項３】
前記バッテリー収納部は、前記ＡＣプラグのブレードが前記使用状態にあるときに、前記ＡＣプラグのブレードが突出する面に形成されることを特徴とする請求項１または２に記載の充電器。
【請求項４】
前記バッテリー収納部が形成される面の裏面に充電状態の表示手段を設けたことを特徴とする請求項１ないし３のいずれかに記載の充電器。
【発明の詳細な説明】
【技術分野】
【０００１】
本発明は、ＡＣプラグを回転することにより本体に収納可能なバッテリー充電器に関する発明である。
【背景技術】
【０００２】
近年、電子機器のバッテリー充電器は、携帯性や安全性の向上の為に充電器本体から突出したＡＣプラグを回転することにより本体に収納可能な構成としたものが多くなってきている。
【０００３】
このようなＡＣプラグを収納可能な携帯型充電器において、ＡＣプラグの収納時にＡＣプラグのブレード部が収納されているスペースはＡＣプラグを突出させてバッテリーの充電を行う際には無駄なスペースになるためＡＣプラグを効率よく配置する必要がある。
【０００４】
そのため、充電器本体の底部にＡＣプラグ収納部を形成し、ＡＣプラグ収納部にＡＣプラグを水平方向の軸心を中心に１８０°回転可能に設けた携帯充電器のプラグ装置が提案されている（例えば、特許文献１参照）。
【特許文献１】特開平９−６３６８６号公報
【発明の開示】
【発明が解決しようとする課題】
【０００５】
しかしながら、上記のように充電器本体の底部にＡＣプラグ収納部を形成した構成では、バッテリー充電器本体の内部にＡＣプラグのブレードを収納する空間を設ける必要がある。よって、ＡＣプラグのブレードを収納するスペースがＡＣプラグを突出させた状態では無駄な空間である為、バッテリー充電器の小型化を妨げる要因となる。
【０００６】
更に、バッテリー充電器本体の内部にＡＣプラグを収納した状態から回転させてＡＣプラグが突出した状態にする構造では、ＡＣプラグを引起す為にブレードの先端部に指を入れるスペースを確保する必要があり、これもバッテリー充電器の小型化を妨げる。
【課題を解決するための手段】
【０００７】
本発明は、バッテリーが収納されるバッテリー収納部と、使用状態と収納状態に変位するＡＣプラグのブレードとを有する充電器であって、前記ＡＣプラグのブレードが前記収納状態にあるときに、前記ＡＣプラグのブレードが前記バッテリー収納部内に位置することを特徴とする。
【発明の効果】
【０００８】
本発明によれば、電池パックを取り付けて充電を行っていない状態の充電器の電池室の空間を効率よく使用するで、より小さいスペースでＡＣプラグ部を構成し、更にＡＣプラグのブレードの周囲の空間を広く設けることが可能となる。
【０００９】
この結果、小型で容易にＡＣプラグに指を掛け回転させることが可能であるバッテリー充電器を構成することが可能となる。
【発明を実施するための最良の形態】
【００１０】
（実施例１）
図１は本発明の実施例１におけるバッテリー充電器のＡＣプラグを収納状態を示す外観斜視図である。図２は図１の反対の面から見たバッテリー充電器の外観斜視図である。図３は、バッテリー充電器のＡＣプラグを突出させた状態を示す図である。
【００１１】
図１、図２において、１はバッテリー充電器本体、１１はバッテリー充電器の充電端子、１２はバッテリーパックが取り付けられるバッテリー充電器のバッテリー収納部、１３および１４はバッテリー充電器の充電状態を示すＬＥＤ表示である。２１はＡＣプラグであり、２１ａ、２１ｂはＡＣプラグ２１のブレードである。ＡＣプラグ２１はブレード２１ａ、２１ｂが図３に示す方向に回転自在に取り付けられている。図３において、３はバッテリーパックである。
【００１２】
図１に示すように、バッテリー充電器本体１を携帯して持ち運ぶような場合には、ＡＣプラグ２１はバッテリー充電器本体１のバッテリー収納部１２内にブレード２１ａ、２１ｂを収納している。
【００１３】
図３に示すように、バッテリーパック３を充電する場合には、ＡＣプラグ２１のブレード２１ａ、２１ｂを９０°回転させバッテリー充電器本体１から垂直に突出させて使用状態とする。その後、バッテリー収納部１２にバッテリーパック３を装着する。
【００１４】
図４は、バッテリー充電器にバッテリーパックを取り付けた状態を示す図である。
【００１５】
図４に示すように、バッテリーパック３をバッテリー収納部１２に装着しＡＣプラグ２１をコンセントに差し込むことによりバッテリーパック３が充電される。バッテリーパック３の充電が開始されると充電状態を示すＬＥＤ１３が点灯し、バッテリーパック３の充電状態を表示させることが可能である。本実施例ではＡＣプラグ２１を、例えば壁に設置されたコンセントに差し込んだ場合には充電状態を示すＬＥＤ１３が壁面と対面し目視で確認することが出来なくなってしまう。このため、バッテリー収納部１２と反対の面（裏面）に設置したバッテリーパック３の充電状態を示すＬＥＤ１４を点灯し、充電状態を表示させ目視で確認することが可能である。
【００１６】
また、ＡＣプラグ２１のブレード２１ａ、２１ｂを収納した状態から突出させた状態に回転させる際には、ブレード２１ａ、２１ｂの周囲に指を入れる空間が必要である。本実施例では、ブレード２１ａ、２１ｂがバッテリー収納部１２に収納させるため、指を入れる十分な空間が確保できる。したがって、収納されたブレード２１ａ、２１ｂに容易に指を掛けることが可能であり、ブレード２１ａ、２１ｂを容易に回転させることができる。
【００１７】
（実施例２）
本発明の実施例２におけるバッテリー充電器について説明する。本実施の基本構成は実施例１と同様である。
【００１８】
図５は本発明の実施例２におけるバッテリー充電器のＡＣプラグを収納した状態を示す外観斜視図である。図６は、実施例２のバッテリー充電器のＡＣプラグを突出させた状態を示す図である。
【００１９】
図５、図６において、２２はＡＣプラグ、２２ａ、２２ｂはＡＣプラグ２２のブレードである。ＡＣプラグ２２はブレード２２ａ、２２ｂの板面に対して垂直な方向に回転自在に取り付けられている。図５に示すように、バッテリー充電器本体１を携帯して持ち運ぶような場合には、ＡＣプラグ２２はバッテリー充電器本体１のバッテリー収納部１２にブレード２２ａ、２２ｂを収納する形態で収納されている。
【００２０】
図６に示すように、バッテリーパック３を充電をする場合には、ＡＣプラグ２２をブレード２２ａ、２２ｂの板面に対して垂直な方向に９０°回転させバッテリー充電器本体１から垂直に突出させ、バッテリー収納部１２にバッテリーパック３を装着する。
【００２１】
なお、上記の実施例１、２では、ＡＣプラグのブレードを収納されている状態から９０°回転させバッテリー充電器本体から垂直に突出させる構成としている。しかしながら、ＡＣプラグブレードがバッテリー収納部に収納されている状態から、コンセントに接続できるように突出させる状態に変位する形態であればよい。例えば、１８０°回転させバッテリー充電器本体から突出させる構成とすることもできるし、スライドによるものであっても構わない。
【図面の簡単な説明】
【００２２】
【図１】実施例１におけるバッテリー充電器の外観斜視図
【図２】実施例１のバッテリー充電器を図１の反対方向から見た外観斜視図
【図３】実施例１のバッテリー充電器のＡＣプラグを突出させた状態を示す図
【図４】実施例１のバッテリー充電器のバッテリーパックの取付け状態を示す図
【図５】実施例２におけるバッテリー充電器の外観斜視図
【図６】実施例２のバッテリー充電器のＡＣプラグを突出させた状態を示す図
【図７】実施例２のバッテリー充電器のバッテリーパックの取付け状態を示す図
【符号の説明】
【００２３】
１  バッテリー充電器本体
１１  バッテリー充電器本体１の充電端子
１２  バッテリー充電器本体１の電池室
１３、１４  充電状態表示ＬＥＤ
２１  ブレードの板面と平行な方向に回転するＡＣプラグ
２１ａ、２１ｂ  ＡＣプラグ２１のブレード
２２  ブレードの板面と垂直な方向に回転するＡＣプラグ
２２ａ、２２ｂ  ＡＣプラグ２２のブレード
【図１】
2008245422.tif 000003
【図２】
2008245422.tif 000004
【図３】
2008245422.tif 000005
【図４】
2008245422.tif 000006
【図５】
2008245422.tif 000007
【図６】
2008245422.tif 000008
【図７】
2008245422.tif 000009